(57)【要約】【課題】通信端末がサーバーから受け取る表示装置用情報が無駄になることを抑制する技術を提供する。【解決手段】ソフトウェアを記憶する表示装置の制御方法は、第１通信端末との通信が確立している状況で、前記第１通信端末に、前記ソフトウェアのアップデートを促すアップデート通知の取得を指示する第１指示を提供することと、前記第１通信端末が前記第１指示に応じて取得するアップデート通知を前記第１通信端末から受け取ると、当該アップデート通知に基づくアップデート通知画像を表示面に表示することと、を含む。【選択図】図５
2020098520.tif 000002
【特許請求の範囲】
【請求項１】
ソフトウェアを記憶する表示装置の制御方法であって、
第１通信端末との通信が確立している状況で、前記第１通信端末に、前記ソフトウェアのアップデートを促すアップデート通知の取得を指示する第１指示を提供することと、
前記第１通信端末が前記第１指示に応じて取得するアップデート通知を前記第１通信端末から受け取ると、当該アップデート通知に基づくアップデート通知画像を表示面に表示することと、
を含む表示装置の制御方法。
【請求項２】
前記第１通信端末との通信の確立に応じて、前記第１通信端末に、前記第１指示を提供する、
請求項１に記載の表示装置の制御方法。
【請求項３】
前記第１通信端末からの前記アップデート通知の受け取りに応じて、前記第１通信端末を介して、前記ソフトウェアをアップデートするためのアップデートデータを取得すること
を含む請求項１または２に記載の表示装置の制御方法。
【請求項４】
前記アップデートデータの取得中に前記第１通信端末との通信が切断し、当該通信の切断の後に第２通信端末との通信が確立している状況で、前記アップデートデータのうち前記第１通信端末を介して取得できなかった部分を、前記第２通信端末を介して取得すること、
を含む請求項３に記載の表示装置の制御方法。
【請求項５】
前記第１通信端末との通信は、近距離無線通信であり、
前記第１通信端末からの前記アップデート通知の受け取りに応じて、前記第１通信端末に、前記ソフトウェアをアップデートするためのアップデートデータのデータ量の取得を指示する第２指示を提供することと、
前記第１通信端末が前記第２指示に応じて取得するデータ量を前記第１通信端末から受け取ると、当該データ量に基づいて、前記近距離無線通信を用いて前記アップデートデータを取得するか否かを決定することと、
を含む請求項１に記載の表示装置の制御方法。
【請求項６】
前記アップデートデータを取得している間、前記アップデートデータを取得中であることを示す画像を前記表示面に表示すること
を含む請求項３から５のいずれか１項に記載の表示装置の制御方法。
【請求項７】
前記第１通信端末から前記アップデート通知とは異なる情報を受け取ると、当該情報に基づく画像を前記表示面に表示すること
を含む請求項１から６のいずれか１項に記載の表示装置の制御方法。
【請求項８】
前記第１通信端末との通信は、近距離無線通信である、
請求項１から７のいずれか１項に記載の表示装置の制御方法。
【請求項９】
ソフトウェアを記憶する表示装置であって、
第１通信端末との通信が確立している状況で、前記第１通信端末に、前記ソフトウェアのアップデートを促すアップデート通知の取得を指示する第１指示を提供する第１指示部と、
表示部と、
前記第１通信端末が前記第１指示に応じて取得するアップデート通知を前記第１通信端末から受け取ると、前記表示部に、当該アップデート通知に基づくアップデート通知画像を表示面に表示させる表示制御部と、
を含む表示装置。
【請求項１０】
前記第１指示部は、前記第１通信端末との通信の確立に応じて、前記第１通信端末に、前記第１指示を提供する、
請求項９に記載の表示装置。
【請求項１１】
前記第１通信端末からの前記アップデート通知の受け取りに応じて、前記第１通信端末を介して、前記ソフトウェアをアップデートするためのアップデートデータを取得するアップデートデータ取得部
を含む請求項９または１０に記載の表示装置。
【請求項１２】
前記アップデートデータ取得部は、前記アップデートデータの取得中に前記第１通信端末との通信が切断し、当該通信の切断の後に第２通信端末との通信が確立している状況で、前記アップデートデータのうち前記第１通信端末を介して取得できなかった部分を、前記第２通信端末を介して取得する、
請求項１１に記載の表示装置。
【請求項１３】
前記第１通信端末からの前記アップデート通知の受け取りに応じて、前記第１通信端末に、前記ソフトウェアをアップデートするためのアップデートデータのデータ量の取得を指示する第２指示を提供する第２指示部と、
前記第１通信端末が前記第２指示に応じて取得するデータ量を前記第１通信端末から受け取ると、当該データ量に基づいて、前記アップデートデータを取得するために用いる通信方法を決定する決定部と、
を含む請求項９に記載の表示装置。
【請求項１４】
前記表示制御部は、前記アップデートデータが取得されている間、前記表示部に、前記アップデートデータを取得中であることを示す画像を前記表示面に表示させる、
請求項１１から１３のいずれか１項に記載の表示装置。
【請求項１５】
前記表示制御部は、前記第１通信端末から前記アップデート通知とは異なる情報を受け取ると、前記表示部に、当該情報に基づく画像を前記表示面に表示させる、
請求項９から１４のいずれか１項に記載の表示装置。
【請求項１６】
前記第１通信端末との通信は、近距離無線通信である、
請求項９から１５のいずれか１項に記載の表示装置。
【請求項１７】
表示装置と、第１通信端末と、を含み、
前記表示装置は、
前記第１通信端末との無線が確立している状況で、前記第１通信端末に、前記ソフトウェアのアップデートを促すアップデート通知の取得を指示する第１指示を提供する第１指示部と、
表示部と、
前記第１通信端末が前記第１指示に応じて取得するアップデート通知を前記第１通信端末から受け取ると、前記表示部に、当該アップデート通知を表示面に表示させる表示制御部と、
を含み、
前記第１通信端末は、
前記第１指示を受け取ると、前記ソフトウェアのアップデートを管理するサーバーから前記アップデート通知を取得するアップデート通知取得部と、
前記アップデート通知を前記表示装置に提供する提供部と、
を含む、
表示システム。
【発明の詳細な説明】
【技術分野】
【０００１】
本発明は、表示装置の制御方法、表示装置および表示システムに関する。
【背景技術】
【０００２】
特許文献１には、表示機能を有する機器と無線通信を行える通信端末が、表示機能を有する機器にインストールされているソフトウェアのアップデートに関する問合せをサーバーに送信し、その問合せに対する応答を受信する技術が記載されている。この通信端末は、表示機能を有する機器と無線通信が確立しているか否かにかかわらず、サーバーに対して問合せを送信する。
【先行技術文献】
【特許文献】
【０００３】
【特許文献１】特開２０１４−１１５７１７号公報
【発明の概要】
【発明が解決しようとする課題】
【０００４】
特許文献１に記載の技術では、表示機能を有する機器が通信端末と通信できない状況においては、通信端末がサーバーから応答を受信しても、表示機能を有する機器は、通信端末から当該応答を受け取ることができない。このため、通信端末がサーバーから受け取った応答が無駄になってしまうおそれがある。
【課題を解決するための手段】
【０００５】
本発明に係る表示装置の制御方法の一態様は、ソフトウェアを記憶する表示装置の制御方法であって、第１通信端末との通信が確立している状況で、前記第１通信端末に、前記ソフトウェアのアップデートを促すアップデート通知の取得を指示する第１指示を提供することと、前記第１通信端末が前記第１指示に応じて取得するアップデート通知を前記第１通信端末から受け取ると、当該アップデート通知に基づくアップデート通知画像を表示面に表示することと、を含む。
【０００６】
本発明に係る表示装置の一態様は、ソフトウェアを記憶する表示装置であって、第１通信端末との通信が確立している状況で、前記第１通信端末に、前記ソフトウェアのアップデートを促すアップデート通知の取得を指示する第１指示を提供する第１指示部と、表示部と、前記第１通信端末が前記第１指示に応じて取得するアップデート通知を前記第１通信端末から受け取ると、前記表示部に、当該アップデート通知に基づくアップデート通知画像を表示面に表示させる表示制御部と、を含む。
【０００７】
本発明に係る表示システムの一態様は、表示装置と、第１通信端末と、を含み、前記表示装置は、前記第１通信端末との無線が確立している状況で、前記第１通信端末に、前記ソフトウェアのアップデートを促すアップデート通知の取得を指示する第１指示を提供する第１指示部と、表示部と、前記第１通信端末が前記第１指示に応じて取得するアップデート通知を前記第１通信端末から受け取ると、前記表示部に、当該アップデート通知を表示面に表示させる表示制御部と、を含み、前記第１通信端末は、前記第１指示を受け取ると、前記ソフトウェアのアップデートを管理するサーバーから前記アップデート通知を取得するアップデート通知取得部と、前記アップデート通知を前記表示装置に提供する提供部と、を含む。
【図面の簡単な説明】
【０００８】
【図１】第１実施形態に係る表示システムＡの一例を示す図である。
【図２】プロジェクター１の一例を示す図である。
【図３】第１通信端末２の一例を示す図である。
【図４】投射部１２の一例を示す図である。
【図５】表示システムＡの動作を説明するためのシーケンス図である。
【図６】アップデートデータＤの一例を示す図である。
【図７】変形例２に係るプロジェクター１の一例を示す図である。
【発明を実施するための形態】
【０００９】
＜Ａ：第１実施形態＞
＜Ａ１：表示システムＡの概要＞
図１は、第１実施形態に係る表示システムＡの一例を示す図である。表示システムＡは、プロジェクター１と、第１通信端末２と、を含む。プロジェクター１と第１通信端末２は、近距離無線通信で相互に通信できる。具体的には、第１通信端末２がプロジェクター１の通信圏Ｒに位置する場合、プロジェクター１と第１通信端末２は、相互に通信可能となる。第１通信端末２は、無線ＬＡＮ（Local Area Network）のアクセスポイントである中継器５を介して、インターネット等を含む通信ネットワーク３と接続する。第１通信端末２は、中継器５および通信ネットワーク３を介してサーバー４と通信する。なお、中継器５は、無線ＬＡＮのアクセスポイントに限らず適宜変更可能である。例えば、第１通信端末２が、携帯電話通信網を介してサーバー４と通信する場合、中継器５として、無線基地局が用いられる。
【００１０】
プロジェクター１は、種々の画像を投射面６に投射する。投射面６は、表示面の一例である。プロジェクター１は、表示装置の一例である。プロジェクター１には、ソフトウェアがインストールされている。換言すると、プロジェクター１は、ソフトウェアを記憶している。以下、プロジェクター１にインストールされているソフトウェアを「第１ソフトウェア」と称する。第１ソフトウェアは、例えば、ファームウェアである。なお、第１ソフトウェアは、ファームウェアに限らず、例えば、オペレーティングシステムまたはアプリケーションプログラムでもよい。プロジェクター１は、第１ソフトウェアを実行することによって種々の動作を行う。
【００１１】
第１通信端末２は、例えばスマートフォンまたはタブレット端末等の携帯通信端末である。第１通信端末２は、利用者に携帯される。第１通信端末２には、プロジェクター１およびサーバー４の各々と通信するためのアプリケーションプログラムがインストールされている。以下、プロジェクター１およびサーバー４の各々と通信するためのアプリケーションプログラムを「第１アプリ」と称する。第１通信端末２は、第１アプリを実行することによって、例えばプロジェクター１およびサーバー４の各々と通信する。
【００１２】
サーバー４は、第１ソフトウェアのアップデートデータを記憶している。サーバー４は、第１ソフトウェアのアップデートデータを、第１ソフトウェアのバージョンを示すバージョン情報に対応づけて記憶する。具体的には、サーバー４は、第１ソフトウェアのバージョンごとに、第１ソフトウェアのアップデートデータを記憶する。
【００１３】
＜Ａ２：プロジェクター１の一例＞
図２は、プロジェクター１の一例を示す図である。プロジェクター１は、第１操作部１１と、投射部１２と、第１表示部１３と、第１通信部１４と、第２通信部１５と、第１記憶部１６と、第１処理部１７と、を含む。
【００１４】
第１操作部１１は、例えば、各種の操作ボタン、操作キーまたはタッチパネルである。第１操作部１１は、使用者の入力操作を受け取る。第１操作部１１は、使用者による入力操作に応じた情報を無線または有線で送信するリモートコントローラー等であってもよい。この場合、プロジェクター１は、リモートコントローラーが送信する情報を受信する受信部を備える。リモートコントローラーは、使用者による入力操作を受け取る各種の操作ボタン、操作キーまたはタッチパネルを備える。
【００１５】
投射部１２は、種々の画像を投射面６に投射することによって、当該画像を投射面６に表示する。投射部１２は、表示部の一例である。投射部１２が投射する画像は、例えば、プロジェクター１が第１通信端末２から受け取る通知に基づく画像、および、不図示の画像供給装置から供給される画像情報に基づく画像である。画像供給装置は、例えば、ＰＣ（Personal Computer）である。なお、画像供給装置は、ＰＣに限らず、例えば、ＤＶＤ（Digital Versatile Disc）プレーヤーでもよい。
【００１６】
第１表示部１３は、液晶表示パネルである。なお、第１表示部１３は、液晶表示パネルに限らず、例えば、有機ＥＬ表示パネルでもよい。第１表示部１３は、種々の画像を第１表示部１３の表示画面に表示する。第１表示部１３は、表示部の他の例である。表示画面は、表示面の他の例である。
【００１７】
第１通信部１４は、第１通信端末２と通信を確立する。具体的には、第１通信部１４は、近距離無線通信により、直接、第１通信端末２と無線通信する。なお、第１通信部１４は、有線で第１通信端末２と通信を確立してもよい。第１通信部１４は、近距離無線通信として、Ｂｌｕｅｔｏｏｔｈ通信、さらに言えばＢＬＥ（Bluetooth Low Energy）通信を用いる。Ｂｌｕｅｔｏｏｔｈは登録商標である。なお、近距離無線通信は、Ｂｌｕｅｔｏｏｔｈ通信、さらに言えばＢＬＥ通信に限らず、例えば、赤外線通信、可視光通信、またはＮＦＣ（Near Field Communication）通信等でもよい。
【００１８】
第２通信部１５は、第１通信部１４が用いる近距離無線通信とは異なる近距離無線通信により、直接、第１通信端末２または画像供給装置と無線通信する。第２通信部１５は、近距離無線通信として、ＷｉＦｉ Ｄｉｒｅｃｔ通信を用いる。ＷｉＦｉ Ｄｉｒｅｃｔは、登録商標である。ＷｉＦｉ（Wireless Fidelity）は、登録商標である。
【００１９】
第１記憶部１６は、例えば、フラッシュメモリーと、ＲＯＭ（Read Only Memory）と、ＲＡＭ（Random Access Memory）と、を含む。第１記憶部１６は、コンピューターが読み取り可能な記録媒体の一例である。第１記憶部１６は、種々の情報と、第１処理部１７の動作を規定するプログラムと、を記憶する。第１処理部１７の動作を規定するプログラムには、第１ソフトウェアが含まれる。
【００２０】
第１処理部１７は、ＣＰＵ（Central Processing Unit）等のコンピューターである。第１処理部１７は、１または複数の処理装置で構成されてもよい。第１処理部１７は、第１記憶部１６に記憶されているプログラムを読み取り実行することにより、第１指示部１７１と、表示制御部１７２と、アップデートデータ取得部１７３と、を実現する。
【００２１】
第１指示部１７１は、プロジェクター１と第１通信端末２とのＢＬＥ通信が確立している状況で、第１通信部１４を用いて、第１通信端末２に、第１ソフトウェアについてのアップデート通知の取得を指示する第１指示を提供する。
【００２２】
アップデート通知は、第１ソフトウェアのアップデートを促す通知である。例えば、プロジェクター１にインストールされている第１ソフトウェアのバージョンが、サーバー４に記憶されている第１ソフトウェアの最新のバージョンよりも古い場合、アップデート通知として、第１ソフトウェアをアップデートできることを示す通知が用いられる。アップデート通知は、第１通信端末２によってサーバー４から取得される。
【００２３】
表示制御部１７２は、第１通信部１４が第１通信端末２からアップデート通知を受け取ると、投射部１２に、アップデート通知に基づくアップデート通知画像を投射面６に投射させる。アップデート通知は、例えば、アップデート通知画像を示す情報である。
【００２４】
アップデート通知画像は、例えば「第１ソフトウェアのアップデートを行えます。アップデートを行いますか？」という文字を表す画像である。なお、アップデート通知画像は、上述の画像に限らず適宜変更可能である。なお、表示制御部１７２は、第１通信部１４が第１通信端末２からアップデート通知を受け取ると、第１表示部１３にアップデート通知画像を表示させてもよい。
【００２５】
アップデートデータ取得部１７３は、第１ソフトウェアのアップデートデータを取得する。本実施形態では、アップデートデータ取得部１７３は、第２通信部１５を用いて第１通信端末２とＷｉＦｉ Ｄｉｒｅｃｔ通信を確立し、ＷｉＦｉ Ｄｉｒｅｃｔ通信で第１ソフトウェアのアップデートデータを取得する。
【００２６】
＜Ａ３：第１通信端末２の一例＞
図３は、第１通信端末２の一例を示す図である。第１通信端末２は、第２操作部２１と、第２表示部２２と、第３通信部２３と、第４通信部２４と、第５通信部２５と、第２記憶部２６と、第２処理部２７と、を含む。
【００２７】
第２操作部２１は、例えば、各種の操作ボタン、操作キーまたはタッチパネルである。第２操作部２１は、使用者の入力操作を受け取る。
【００２８】
第２表示部２２は、液晶表示パネルである。なお、第２表示部２２は、液晶表示パネルに限らず、例えば、有機ＥＬ表示パネルでもよい。
【００２９】
第３通信部２３は、プロジェクター１の第１通信部１４が用いる通信と同じ種類の通信を実行する。本実施形態では、第３通信部２３は、第１通信部１４と同様に、ＢＬＥ通信を実行する。
【００３０】
第４通信部２４は、ＷｉＦｉ等の無線ＬＡＮ通信により、中継器５を介して、例えばサーバー４と通信する。
【００３１】
第５通信部２５は、プロジェクター１の第２通信部１５が用いる通信と同じ種類の通信を実行する。本実施形態では、第５通信部２５は、第２通信部１５と同様に、ＷｉＦｉ Ｄｉｒｅｃｔ通信を実行する。
【００３２】
第２記憶部２６は、例えば、フラッシュメモリー、ＲＯＭおよびＲＡＭを含む。第２記憶部２６は、コンピューターが読み取り可能な記録媒体の一例である。第２記憶部２６は、種々の情報と、第２処理部２７の動作を規定するプログラムと、を記憶する。第２処理部２７の動作を規定するプログラムには、第１アプリが含まれる。
【００３３】
第２処理部２７は、例えばＣＰＵ等のコンピューターである。第２処理部２７は、１または複数の処理装置で構成されてもよい。第２処理部２７は、第２記憶部２６に記憶されているプログラムを読み取り実行することにより、アップデート通知取得部２７１と提供部２７２とを実現する。
【００３４】
アップデート通知取得部２７１は、プロジェクター１からＢＬＥ通信で第１指示を受け取ると、第４通信部２４を介して、サーバー４から、第１ソフトウェアについてのアップデート通知を取得する。
【００３５】
提供部２７２は、アップデート通知取得部２７１が取得する第１ソフトウェアについてのアップデート通知を、ＢＬＥ通信でプロジェクター１に送信する。
【００３６】
また、提供部２７２は、第１ソフトウェアのアップデートデータをサーバー４に要求し、第１ソフトウェアのアップデートデータをサーバー４から受け取る。提供部２７２は、第１ソフトウェアのアップデートデータをプロジェクター１に送信する。
【００３７】
＜Ａ４：投射部１２の一例＞
図４は、プロジェクター１の投射部１２の一例を示す図である。投射部１２は、画像処理部１２１と、ライトバルブ駆動部１２２と、光源１２３と、赤色用液晶ライトバルブ１２４Ｒと、緑色用液晶ライトバルブ１２４Ｇと、青色用液晶ライトバルブ１２４Ｂと、投射光学系１２５と、を含む。以下、赤色用液晶ライトバルブ１２４Ｒと、緑色用液晶ライトバルブ１２４Ｇと、青色用液晶ライトバルブ１２４Ｂとを相互に区別する必要がない場合、これらを「液晶ライトバルブ１２４」と称する。
【００３８】
画像処理部１２１は、例えばＣＰＵ等のコンピューターである。画像処理部１２１は、１または複数の処理装置で構成されてもよい。画像処理部１２１は、例えば、第１ソフトウェアについてのアップデート通知を用いて、第１ソフトウェアについてのアップデート通知に基づく画像情報を生成する。画像処理部１２１は、画像情報に対して画像処理を施すことによって画像信号を生成する。
【００３９】
画像処理部１２１が実行する画像処理は、例えば、解像度変換処理を包含する。解像度変換処理では、画像処理部１２１は、画像情報の解像度を、例えば液晶ライトバルブ１２４の解像度に変換する。画像処理部１２１は、解像度変換処理に加えて、または、解像度変換処理の代わりに、他の画像処理、例えばガンマ補正処理を実行してもよい。
【００４０】
ライトバルブ駆動部１２２は、画像処理部１２１から入力される画像信号に基づいて液晶ライトバルブ１２４を駆動する。
【００４１】
光源１２３は、例えば、ＬＥＤ（Light Emitting Diode）である。なお、光源１２３は、ＬＥＤに限らず、例えば、キセノンランプ、超高圧水銀ランプ、またはレーザー光源等でもよい。光源１２３から射出される光は、不図示のインテグレーター光学系によって輝度分布のばらつきが低減され、その後、不図示の色分離光学系によって光の３原色である赤色、緑色、青色の色光成分に分離される。赤色の色光成分は赤色用液晶ライトバルブ１２４Ｒに入射する。緑色の色光成分は緑色用液晶ライトバルブ１２４Ｇに入射する。青色の色光成分は青色用液晶ライトバルブ１２４Ｂに入射する。
【００４２】
液晶ライトバルブ１２４は、一対の透明基板間に液晶が存在する液晶パネル等によって構成される。液晶ライトバルブ１２４は、マトリクス状に位置する複数の画素１２４ｐを含む矩形の画素領域１２４ａを有する。液晶ライトバルブ１２４では、液晶に対して画素１２４ｐごとに駆動電圧が印加される。ライトバルブ駆動部１２２が、画像信号に基づく駆動電圧を各画素１２４ｐに印加すると、各画素１２４ｐは、駆動電圧に基づく光透過率に設定される。光源１２３から射出される光は、画素領域１２４ａを通ることで変調され画像信号に基づく画像が色光ごとに形成される。液晶ライトバルブ１２４は、光変調装置の一例である。
【００４３】
各色の画像は、図示しない色合成光学系によって画素１２４ｐごとに合成され、カラー画像が生成される。カラー画像は、投射光学系１２５によって投射面６に投射される。
【００４４】
＜Ａ５：動作の説明＞
図５は、表示システムＡの動作を説明するためのシーケンス図である。図５に示される動作は、プロジェクター１が通信ネットワーク３、さらに言えばサーバー４と接続されていないスタンドアロン状態である状況において、定期的に、例えば１０分ごとに実行される。なお、図５に示される動作が実行される時間間隔は、１０分に限らず適宜変更可能である。図５に示される動作は、例えば利用者からの指示に応じて実行されてもよい。
【００４５】
ステップＳ１０１においてプロジェクター１の第１指示部１７１は、第１通信部１４を用いて、第１アプリをインストール済みの通信端末、例えば、第１通信端末２を探索する。具体的にはステップＳ１０１において第１指示部１７１は、第１通信端末２が第３通信部２３から無線送信するアドバタイズ情報を、第１通信部１４に受信させようとする。
【００４６】
この状況において、プロジェクター１のＢＬＥ通信の通信圏Ｒに第１通信端末２を携帯する利用者が位置しないと、第１指示部１７１は、ステップＳ１０１を終了する。一方、プロジェクター１のＢＬＥ通信の通信圏Ｒに第１通信端末２を携帯する利用者が位置すると、ステップＳ１０２において第１通信端末２から無線送信されるアドバタイズ情報が、プロジェクター１に到達する。第１通信部１４が、第１通信端末２が送信するアドバタイズ情報を受信すると、ステップＳ１０３において第１指示部１７１は、第１通信端末２を検出したと判断する。
【００４７】
第１通信端末２が検出されると、ステップＳ１０４において第１指示部１７１は、第１通信端末２とのＢＬＥ通信のための接続処理を行い、その後、接続要求を第１通信部１４から第１通信端末２に送信する。第１指示部１７１は、接続要求の送信によって、ステップＳ１０５においてプロジェクター１と第１通信端末２との通信、具体的には、ＢＬＥ通信を確立する。なお、ステップＳ１０１からステップＳ１０５の動作は、ＢＬＥ通信に基づく一般的な動作である。
【００４８】
プロジェクター１と第１通信端末２とのＢＬＥ通信が確立すると、ＢＬＥ通信の確立に応じて、ステップＳ１０６において第１指示部１７１は、アップデート通知の取得要求を第１通信部１４から第１通信端末２に送信する。アップデート通知の取得要求は、プロジェクター１にインストールされている第１ソフトウェアのバージョン情報を含む。
【００４９】
第１通信端末２の第３通信部２３が、アップデート通知の取得要求を受信すると、ステップＳ１０７においてアップデート通知取得部２７１は、第４通信部２４からサーバー４にアップデート通知の要求を送信する。アップデート通知の要求は、アップデート通知の取得要求に含まれている第１ソフトウェアのバージョン情報を含む。
【００５０】
サーバー４は、アップデート通知の要求を受信すると、アップデート通知の要求に含まれる第１ソフトウェアのバージョン情報が、サーバー４が管理している第１ソフトウェアの最新のバージョン情報よりも古いか否かを判断する。
【００５１】
アップデート通知の要求に含まれる第１ソフトウェアのバージョン情報が、サーバー４が管理している第１ソフトウェアの最新のバージョン情報よりも古い場合、ステップＳ１０８においてサーバー４は、アップデート通知を第１通信端末２に送信する。
【００５２】
続いて、第１通信端末２の第４通信部２４が、アップデート通知を受信すると、ステップＳ１０９において提供部２７２は、当該アップデート通知を、第３通信部２３からプロジェクター１に送信する。すなわち、アップデート通知は、ＢＬＥ通信で、第１通信端末２からプロジェクター１に送信される。
【００５３】
プロジェクター１の第１通信部１４が、アップデート通知を受信すると、ステップＳ１１０において表示制御部１７２は、投射部１２に、アップデート通知に基づくアップデート通知画像を投射面６に投射させる。なお、表示制御部１７２は、アップデート通知画像を投射部１２に投射させずに第１表示部１３に表示させてもよい。例えば、投射部１２が動作していない場合、表示制御部１７２は、アップデート通知画像を第１表示部１３に表示させる。また、表示制御部１７２は、アップデート通知画像を投射部１２に投射させるとともに第１表示部１３に表示させてもよい。
【００５４】
利用者は、アップデート通知画像を視認することによって、第１ソフトウェアのアップデートが必要であると認識すると、プロジェクター１の第１操作部１１を用いて、第１ソフトウェアのアップデートデータを取得するための取得操作を行う。
【００５５】
続いて、ステップＳ１１１において第１操作部１１が取得操作を受け取ると、アップデートデータ取得部１７３は、第２通信部１５と、第１通信端末２の第５通信部２５と、のＷｉＦｉ Ｄｉｒｅｃｔ通信を確立する。
【００５６】
例えば、アップデートデータ取得部１７３は、まず、プロジェクター１を第１通信端末２とＷｉＦｉ Ｄｉｒｅｃｔ通信で接続することを促す接続用画像を、投射部１２または第１表示部１３に表示させる。
続いて、利用者が、接続用画像に従って、プロジェクター１を第１通信端末２とＷｉＦｉ Ｄｉｒｅｃｔ通信で接続するための接続用操作を、第１操作部１１を用いて行うと、第１操作部１１は、接続用操作を受け取る。
第１操作部１１が接続用操作を受け取ると、アップデートデータ取得部１７３は、第２通信部１５と第５通信部２５とのＷｉＦｉ Ｄｉｒｅｃｔ通信を確立するための処理を実行し、第２通信部１５と第５通信部２５とのＷｉＦｉ Ｄｉｒｅｃｔ通信を確立する。
【００５７】
第２通信部１５と第５通信部２５のＷｉＦｉ Ｄｉｒｅｃｔ通信が確立すると、ステップＳ１１２においてアップデートデータ取得部１７３は、第２通信部１５から第１通信端末２に、第１ソフトウェアのアップデートデータの要求を送信する。すなわち、第１ソフトウェアのアップデートデータの要求は、ＷｉＦｉ Ｄｉｒｅｃｔ通信で、プロジェクター１から第１通信端末２に送信される。第１ソフトウェアのアップデートデータの要求は、プロジェクター１にインストールされている第１ソフトウェアのバージョン情報を含む。
【００５８】
第１通信端末２の第５通信部２５が、第１ソフトウェアのアップデートデータの要求を受信すると、ステップＳ１１３において提供部２７２は、第１ソフトウェアのアップデートデータの要求を、第４通信部２４からサーバー４に送信する。
【００５９】
サーバー４は、第１ソフトウェアのアップデートデータの要求を受信すると、ステップＳ１１４においてサーバー４は、サーバー４が管理している第１ソフトウェアのアップデートデータのうち、第１ソフトウェアのアップデートデータの要求に含まれるバージョン情報よりも新しいバージョン情報に対応するアップデートデータを、第１通信端末２に送信する。
【００６０】
第１通信端末２の第４通信部２４がアップデートデータを受信すると、ステップＳ１１５において提供部２７２は、アップデートデータを、第５通信部２５からプロジェクター１に送信する。すなわち、アップデートデータは、ＷｉＦｉ Ｄｉｒｅｃｔ通信で、第１通信端末２からプロジェクター１に送信される。
【００６１】
プロジェクター１の第２通信部１５がアップデートデータを受信すると、ステップＳ１１６においてアップデートデータ取得部１７３は、アップデートデータを用いて、第１ソフトウェアのアップデートを実行する。
【００６２】
なお、ステップＳ１０７で送信されるアップデート通知の要求に含まれる第１ソフトウェアのバージョン情報が、サーバー４が管理している第１ソフトウェアの最新のバージョン情報よりも古くない場合、すなわち、アップデート通知の要求に含まれる第１ソフトウェアのバージョン情報が、最新のバージョン情報である場合、サーバー４は、アップデートが不要であることを示すアップデート不要通知を、第１通信端末２に送信する。この場合、第１通信端末２は、プロジェクター１に対して、アップデート不要通知もアップロード通知も送信せずに、図５に示す動作を終了する。
【００６３】
本実施形態に係るプロジェクター１およびプロジェクター１の制御方法によれば、第１指示部１７１は、第１通信端末２との通信が確立している状況で、第１通信端末２に第１指示を提供する。表示制御部１７２は、第１通信端末２が第１指示に応じて取得するアップデート通知を第１通信端末２から受け取ると、投射部１２に、アップデート通知に基づくアップデート通知画面を投射面６に表示させる。
【００６４】
上述の通り、第１通信端末２との通信が確立している状況で、第１通信端末２に第１指示を提供するため、第１通信端末２が第１指示に従って取得したアップデート通知を送信する時点において、プロジェクター１と第１通信端末２との通信が確立している可能性が高い。このため、第１通信端末２が第１指示に応じて取得するアップデート通知がプロジェクター１に届かずに無駄になることを抑制可能になる。
【００６５】
また、第１指示部１７１は、第１通信端末２との通信が確立している状況で、第１通信端末２に第１指示を提供するため、プロジェクター１から送信される第１指示が、第１通信端末２に届かずに無駄になることを抑制可能になる。
【００６６】
このように本実施形態では、インターネット等を含む通信ネットワーク３に直接つながっていないプロジェクター１であってもアップデート通知を受け取ることができる。
【００６７】
本実施形態では、第１指示部１７１は、第１通信端末２との通信の確立に応じて、すなわち、第１通信端末２との通信の確立をトリガーとして、第１通信端末２に第１指示を提供する。このため、第１指示を第１通信端末２に提供できるタイミングで、第１指示を第１通信端末２に提供できる。
【００６８】
本実施形態では、アップデートデータ取得部１７３は、第１通信端末２からのアップデート通知の受け取りに応じて、すなわち、第１通信端末２からのアップデート通知の受け取りをトリガーとして、第１通信端末２を介して、ソフトウェアをアップデートするためのアップデートデータを取得する。このため、アップデートの必要があるときに、アップデートデータを取得できる。
【００６９】
＜Ｂ：変形例＞
第１実施形態において、例えば以下に例示する構成が採用されてもよい。
【００７０】
＜Ｂ１：変形例１＞
第１実施形態では、アップデートデータ取得部１７３は、アップデートデータを、ＢＬＥ通信よりも通信速度が高速なＷｉＦｉ Ｄｉｒｅｃｔ通信を用いて取得するが、アップデートデータをＢＬＥ通信で取得してもよい。
【００７１】
ここで、ＢＬＥ通信の通信速度は、実測で１０ＫＢ／ｓ程度である。このため、例えば、アップデートデータのサイズが１００ＭＢである場合、アップデートデータ取得部１７３が、アップデートデータを取得するために２７時間程度かかる。これほどの期間、プロジェクター１のＢＬＥ通信の通信圏Ｒに、第１通信端末２を携帯する利用者が位置し続ける可能性は低い。
【００７２】
そこで、アップデートデータ取得部１７３は、アップデートデータの取得中に第１通信端末２とのＢＬＥ通信が切断し、当該ＢＬＥ通信の切断の後に第２通信端末とのＢＬＥ通信が確立すると、アップデートデータのうち第１通信端末２を介して取得できなかった部分を、第２通信端末とのＢＬＥ通信が確立している状況において、第２通信端末を介して取得する。ここで、第２通信端末は、第１通信端末２とは異なる通信端末でもよいし、第１通信端末２でもよい。
【００７３】
以下、変形例１の一例をする。変形例１においては、図６に示すように、１００ＭＢのアップデートデータＤがブロックＤ０〜Ｄ９の１０ブロックに分けられているとする。なお、アップデートデータＤのデータ量は、１００ＭＢに限らず、１００ＭＢよりも多くてもよいし少なくてもよい。アップデートデータＤのブロック数は１０に限らず、２以上であればよい。各ブロックのデータ量は、１０ＭＢに限らず、１０ＭＢよりも多くてもよいし少なくてもよい。各ブロックのデータ量は、互いに等しくなくてもよい。
【００７４】
この状況において、第１通信端末２がブロックＤ０〜Ｄ１の２０ＭＢのデータをプロジェクター１にＢＬＥ通信で送信し終えたときに、第１通信端末２を携帯する利用者Ａ１が、プロジェクター１のＢＬＥ通信の通信圏Ｒから他の地点に移動したとする。
【００７５】
その後、第１通信端末２と同一構成の第２通信端末を携帯する利用者Ａ２が、プロジェクター１のＢＬＥ通信の通信圏Ｒに入ってきて、プロジェクター１と第２通信端末とのＢＬＥ通信が確立すると、アップデートデータ取得部１７３は、ＢＬＥ通信で、第２通信端末に対して、ブロックＤ２以降のアップデートデータＤの要求を送信する。
【００７６】
第２通信端末の提供部は、ブロックＤ２以降のアップデートデータＤの要求を受信すると、ブロックＤ２以降のアップデートデータＤをサーバー４から取得し、ブロックＤ２以降のアップデートデータＤをＢＬＥ通信で、プロジェクター１に送信する。
【００７７】
その後、第２通信端末がブロックＤ２〜Ｄ７の６０ＭＢのアップデートデータＤをプロジェクター１にＢＬＥ通信で送信し終えたときに、第２通信端末を携帯する利用者Ａ２が、プロジェクター１のＢＬＥ通信の通信圏Ｒから他の地点に移動したとする。
【００７８】
その後、第１通信端末２を携帯する利用者Ａ１が、プロジェクター１のＢＬＥ通信の通信圏Ｒに再度入ってきて、プロジェクター１と第１通信端末２とのＢＬＥ通信が確立すると、アップデートデータ取得部１７３は、ＢＬＥ通信で、第１通信端末２に対して、ブロックＤ８以降のアップデートデータＤの要求を送信する。
【００７９】
第１通信端末２の提供部２７２は、ブロックＤ８以降のアップデートデータＤの要求を受信すると、ブロックＤ８以降のアップデートデータＤをサーバー４から取得し、ブロックＤ８以降のアップデートデータＤをＢＬＥ通信で、プロジェクター１に送信する。
【００８０】
変形例１によれば、アップデートデータＤをブロック単位で受信できるので、アップデートデータＤ全体を受信するまで第１通信端末２がプロジェクター１のＢＬＥ通信の通信圏Ｒに位置し続ける必要がない。
【００８１】
第１実施形態に示すように、プロジェクター１が、ＷｉＦｉ Ｄｉｒｅｃｔ通信でアップデートデータＤを取得する場合、利用者がＷｉＦｉ Ｄｉｒｅｃｔ通信の接続先を変更する変更操作が必要になる。一方、変形例１のようにＢＬＥ通信でアップデートデータＤを取得する場合、このような変更操作を不要にできる。
【００８２】
また、第１実施形態に示すように、プロジェクター１が、ＷｉＦｉ Ｄｉｒｅｃｔ通信で第１通信端末２からアップデートデータＤを取得している間、プロジェクター１は、第１通信端末２とは異なる機器、例えば、画像情報を供給するＰＣとＷｉＦｉ Ｄｉｒｅｃｔ通信を行えなくなる。一方、変形例１のようにＢＬＥ通信でアップデートデータＤを取得する場合、プロジェクター１は、ＢＬＥ通信で第１通信端末２からアップデートデータＤを取得している間、画像情報を供給するＰＣとＷｉＦｉ Ｄｉｒｅｃｔ通信を行うことができる。
【００８３】
＜Ｂ２：変形例２＞
第１実施形態および変形例１において、プロジェクター１は、第１ソフトウェアのアップデートデータのデータ量に基づいて、第１ソフトウェアのアップデートデータを取得するために用いる通信方法を決定してもよい。
【００８４】
図７は、変形例２に係るプロジェクター１の一例を示す図である。変形例２に係るプロジェクター１は、第２指示部１７４と決定部１７５とを有する点において、第１実施形態と異なる。以下、変形例２に係るプロジェクター１について、第１実施形態と異なる点を中心に説明する。
【００８５】
第２指示部１７４は、第１通信端末２からのアップデート通知の受け取りに応じて、具体的には、第１通信端末２からのアップデート通知の受け取りをトリガーとして、第１通信端末２に、第１ソフトウェアのアップデートデータのデータ量の取得を指示する第２指示をＢＬＥ通信で提供する。
【００８６】
第１通信端末２の提供部２７２は、第３通信部２３が第２指示を受信すると、サーバー４に、第１ソフトウェアのアップデートデータのデータ量の問合せを行う。
サーバー４は、データ量の問合せを受け取ると、第１ソフトウェアのアップデートデータのデータ量を第１通信端末２に送信する。
第１通信端末２の提供部２７２は、第４通信部２４が第１ソフトウェアのアップデートデータのデータ量を受信すると、第１ソフトウェアのアップデートデータのデータ量をＢＬＥ通信でプロジェクター１に送信する。
【００８７】
決定部１７５は、第１通信部１４が第１ソフトウェアのアップデートデータのデータ量を受信すると、当該データ量に基づいて、第１ソフトウェアのアップデートデータを取得するために用いる通信方法を決定する。通信方法は、通信方式または通信態様とも称され得る。例えば、決定部１７５は、第１ソフトウェアのアップデートデータのデータ量に基づいて、ＢＬＥ通信等の近距離無線通信を用いて第１ソフトウェアのアップデートデータを取得するか否かを決定する。なお、ＢＬＥ通信は近距離無線通信に含まれるが、ＷｉＦｉ Ｄｉｒｅｃｔ通信は近距離無線通信に含まれない。
【００８８】
変形例２においては、第１ソフトウェアのアップデートデータのデータ量が閾値以上である場合、決定部１７５は、アップデートデータを取得するために用いる通信方法として、ＷｉＦｉ Ｄｉｒｅｃｔ通信を決定する。
一方、アップデートデータのデータ量が閾値未満である場合、決定部１７５は、アップデートデータを取得するために用いる通信方法として、ＢＬＥ通信を決定する。
【００８９】
決定部１７５が、アップデートデータを取得するために用いる通信方法として、ＷｉＦｉ Ｄｉｒｅｃｔ通信を決定すると、アップデートデータ取得部１７３は、第１実施形態に例示されるように、ＷｉＦｉ Ｄｉｒｅｃｔ通信を用いて、第１ソフトウェアのアップデートデータを取得する。
【００９０】
一方、決定部１７５が、アップデートデータを取得するために用いる通信方法として、ＢＬＥ通信を決定すると、アップデートデータ取得部１７３は、変形例１に例示されるように、ＢＬＥ通信を用いて、第１ソフトウェアのアップデートデータを取得する。
【００９１】
変形例２によれば、アップデートデータのデータ量が閾値以上である場合、ＢＬＥ通信よりも通信速度が高速なＷｉＦｉ Ｄｉｒｅｃｔ通信でアップデートデータを取得するので、ＢＬＥ通信でアップデートデータを取得する場合よりも短時間でアップデートデータを取得できる。
一方、アップデートデータのデータ量が閾値未満である場合、通信先を変更する変更操作が不要なＢＬＥ通信でアップデートデータを取得するので、ＷｉＦｉ Ｄｉｒｅｃｔ通信でアップデートデータを取得する場合よりも容易にアップデートデータを取得できる。
【００９２】
なお、アップデートデータのデータ量が閾値以上である場合に使用される第１通信方法の通信速度が、アップデートデータのデータ量が閾値未満である場合に使用される第２通信方法の通信速度よりも速ければ、第１通信方法はＷｉＦｉ Ｄｉｒｅｃｔ通信に限られず、第２通信方法はＢＬＥ通信に限られない。
【００９３】
＜Ｂ３：変形例３＞
第１実施形態および変形例１〜２のいずれかにおいて、表示制御部１７２は、アップデートデータが取得されている間、投射部１２に、アップデートデータを取得中であることを示す画像を投射面６に投射させてもよいし、第１表示部１３に、アップデートデータを取得中であることを示す画像を表示させてもよい。
アップデートデータを取得中であることを示す画像は、例えば「アップデートデータを取得中です。」という文字を表す画像である。なお、アップデートデータを取得中であることを示す画像は、上述の画像に限らず適宜変更可能である。
変形例３によれば、アップデートデータを取得中であることを使用者に知らせることが可能になる。
【００９４】
＜Ｂ４：変形例４＞
第１実施形態および変形例１〜３のいずれかにおいて、表示制御部１７２は、第１通信端末２からアップデート通知とは異なる情報を受け取ると、投射部１２に、アップデート通知とは異なる情報に基づく画像を投射面６に投射させてもよいし、第１表示部１３に、アップデート通知とは異なる情報に基づく画像を表示させてもよい。
【００９５】
例えば、サーバー４が、アップデート通知の要求に対して、アップデート通知と付加情報とを第１通信端末２に送信し、第１通信端末２が、サーバー４から受信するアップデート通知と付加情報とをプロジェクター１に送信する場合、表示制御部１７２は、付加情報に基づく画像を投射面６に投射させ、第１表示部１３に、付加情報に基づく画像を表示させる。
【００９６】
付加情報は、例えば、商品の広告の情報である。なお、付加情報は、商品の広告の情報に限らず、例えば、プロジェクターを使うイベントの情報でもよい。
【００９７】
また、サーバー４は、アップデート不要通知の代わりに付加情報を送信してもよい。この場合、第１通信端末２は、サーバー４から受信する付加情報をプロジェクター１に送信する。プロジェクター１の表示制御部１７２は、付加情報に基づく画像を投射面６に投射させ、第１表示部１３に、付加情報に基づく画像を表示させる。
【００９８】
変形例４によれば、プロジェクター１は、サーバー４から送信されるアップデート通知とは異なる情報を用いて、当該情報に基づく画像を表示可能になる。
【００９９】
＜Ｂ５：変形例５＞
第１実施形態および変形例１〜４のいずれかにおいて、第４通信部２４は、携帯電話通信網の無線基地局を介して、通信ネットワーク３、さらに言えばサーバー４と通信してもよい。
この場合、第１通信端末２がサーバー４と通信を行うと、第１通信端末２に対して課金がなされてしまう。このため、例えば、第１通信端末２の利用者に対して、サーバー４との通信を許諾するか否かを問い合わせ、許諾との回答が入力された第１通信端末２のみが、さらに言えば、許諾との回答が入力された第１通信端末２のアップデート通知取得部２７１および提供部２７２が、第４通信部２４を用いて、サーバー４と通信してもよい。このような対応がなされると、第１通信端末２の利用者に余計な通信料が課金されることを抑制できる。
【０１００】
＜Ｂ６：変形例６＞
第１実施形態および変形例１〜５のいずれかにおいて、光変調装置の一例として液晶ライトバルブ１２４が用いられたが、光変調装置は液晶ライトバルブに限らず適宜変更可能である。例えば、光変調装置は、３枚の反射型の液晶パネルを用いた構成であってもよい。また、光変調装置は、１枚の液晶パネルを用いた方式、３枚のデジタルミラーデバイス（ＤＭＤ）を用いた方式、１枚のデジタルミラーデバイスを用いた方式等の構成であってもよい。光変調装置として１枚のみの液晶パネルまたはＤＭＤが用いられる場合、色分離光学系および色合成光学系に相当する部材は不要である。また、液晶パネルおよびＤＭＤ以外にも、光源１２３が発した光を変調可能な構成は、光変調装置として採用できる。
【０１０１】
＜Ｂ７：変形例７＞
第１実施形態および変形例１〜６のいずれかにおいて、第１表示部１３は、省略されてもよい。
【０１０２】
＜Ｂ８：変形例８＞
第１実施形態および変形例１〜７のいずれかにおいて、第１処理部１７および第２処理部２７の各々がプログラムを実行することによって実現される各要素は、例えばＦＰＧＡ（field programmable gate array）またはＡＳＩＣ（Application Specific IC）等の電子回路によりハードウェアで実現されてもよい。また、画像処理部１２１は、例えばＦＰＧＡまたはＡＳＩＣ等の電子回路により実現されてもよい。
【０１０３】
＜Ｂ９：変形例９＞
第１実施形態および変形例１〜８のいずれかにおいて、表示装置として、プロジェクター１が用いられるが、表示装置は、液晶表示装置またはＥＬ表示装置のような、直視型の表示装置でもよい。
【符号の説明】
【０１０４】
Ａ…表示システム、１…プロジェクター、２…第１通信端末、３…通信ネットワーク、４…サーバー、５…中継器、６…投射面、１１…第１操作部、１２…投射部、１３…第１表示部、１４…第１通信部、１５…第２通信部、１６…第１記憶部、１７…第１処理部、１７１…第１指示部、１７２…表示制御部、１７３…アップデートデータ取得部、２１…第２操作部、２２…第２表示部、２３…第３通信部、２４…第４通信部、２５…第５通信部、２６…第２記憶部、２７…第２処理部、２７１…アップデート通知処理部、２７２…提供部。
【図１】
2020098520.tif 000003
【図２】
2020098520.tif 000004
【図３】
2020098520.tif 000005
【図４】
2020098520.tif 000006
【図５】
2020098520.tif 000007
【図６】
2020098520.tif 000008
【図７】
2020098520.tif 000009